(57)【特許請求の範囲】
【請求項１】
水平方向に流体を排出する排出流路および該排出流路の下方に位置するシリンダを有するボディと、このボディで揺動自在に保持されるトリガーと、このトリガーと協働して前記シリンダ内を摺動するピストンとを備えるトリガー式流体吐出器において、
前記トリガーは、前記ボディで揺動自在に保持される引っ掛り部分および該引っ掛り部分の揺動部から一体に延在する腕部を折り返し該折り返し部が前記ボディで保持されると共に該腕部の先端が前記引っ掛り部分と接触可能に位置決めされる弾性部分からなるものであることを特徴とするトリガー式流体吐出器。
【請求項２】
水平方向に流体を排出する排出流路および該排出流路の下方に位置するシリンダを有するボディと、このボディに取り付けられて前記排出流路との間に内部空間を形成するカバーと、前記ボディで揺動自在に保持される引っ掛り部分および該引っ掛り部分の揺動部から一体に延在する腕部を折り返し該折り返し部が前記ボディまたはカバーで保持されると共に該腕部の先端が前記引っ掛り部分と接触可能に位置決めされる弾性部分からなるトリガーと、このトリガーと協働して前記シリンダ内を摺動するピストンと、このピストンの押し込み動作で開放され前記排出流路内の流体を外部に排出させる排出弁と、前記ピストンの押し戻し動作で開放され前記排出流路内に流体を吸入させる吸入弁とを備えることを特徴とするトリガー式流体吐出器。
【請求項３】
前記排出弁および前記吸入弁は、前記排出流路および前記内部空間内に挿置されて該排出流路および内部空間との間に流路を形成する中子要素に一体に設けた舌片であって、前記排出弁が前記排出流路の排出口付近に位置すると共に、前記吸入弁が前記内部空間に位置するようにしたものである請求項２に記載のトリガー式流体吐出器。
【請求項４】
前記排出弁および前記吸入弁は、前記排出流路および前記内部空間内に挿置されて該排出流路および内部空間との間に流路を形成する中子要素に一体に設けた舌片であって、前記排出弁および前記吸入弁が前記内部空間に位置するようにしたものである請求項２に記載のトリガー式流体吐出器。
【請求項５】
前記吸入弁は、前記内部空間内または該内部空間および前記排出流路内に挿置され内部流路を備える第１の中子要素と、前記排出流路内に挿置され前記内部流路を封鎖する弁体および該弁体をばねを介して開閉可能に保持する第１中空管を備える第２の中子要素とからなり、前記排出弁は、前記第１中空管と、前記排出流路内に挿置されて前記第１中空管を封鎖する弁体および該弁体をばねを介して開閉可能に保持する第２中空管を備える第３の中子要素とからなるものである請求項２に記載のトリガー式流体吐出器。
【請求項６】
前記ボディは、前記排出流路の排出口付近にスピンエレメントを一体に備えるものである請求項２乃至５のいずれか一項に記載のトリガー式流体吐出器。
【請求項７】
前記ボディは、このボディを容器本体の口部に連結するための連結部を一体に備えるものである請求項２乃至６のいずれか一項に記載のトリガー式流体吐出器。
【請求項８】
前記トリガーは、前記弾性部分が前記排出流路とほぼ同一な高さ位置になるように配置されるものである請求項２乃至７のいずれか一項に記載のトリガー式流体吐出器。
【請求項９】
前記弾性部分は、その腕部の折り返し部を境にして、その一方に、前記腕部の１ヶ所が折れ曲がる屈曲部を備える一方、その他方に、前記腕部の複数ヶ所が折れ曲がる波形部を備えるものである請求項１乃至８のいずれか一項に記載のトリガー式流体吐出器。
【請求項１０】
前記トリガーおよび前記ピストンはそれぞれ、保持ピンおよび該保持ピンより大径の開口を有し、この開口に前記保持ピンを挿入することによって協働するものである請求項１乃至９のいずれか一項に記載のトリガー式流体吐出器。
【発明の詳細な説明】
【０００１】
【発明の属する技術分野】
本発明は、水平方向に流体を排出する排出流路および該排出流路の下方に位置するシリンダを有するボディと、このボディで揺動自在に保持されるトリガーと、このトリガーと協働して前記シリンダ内を摺動するピストンとを備えるトリガー式流体吐出器に関するものである。
【０００２】
【従来の技術】
トリガー式流体吐出器は、使用者がトリガー（引き金）を指で引くことによってポンプ作用を惹起させ、容器本体内に充填された内容物を排出するものであり、図１９は、従来のトリガー式流体吐出器として例示したトリガーポンプ１０と、このトリガーポンプ１０を取り付ける容器本体４０とを示す分解断面図である。
【０００３】
トリガーポンプ１０は、ボディ１１内に水平方向に流体を排出する排出流路１１ａおよび該排出流路１１ａに並置されたシリンダ１１ｂを有し、ボディ１１に設けたピンＰoで揺動自在に保持されるトリガー１２と、このトリガー１２と協働してシリンダ１１ｂ内を摺動するピストン１３とを備え、このピストン１３は、トリガー１２に設けた突部１２ｐと当接することでトリガー１２の引き操作に協働してシリンダ１１ｂ内での押し込み動作が惹起される一方、トリガー１２から指を離した際には、シリンダ１１ｂ内に配置されたリターンスプリングＳoの付勢力によってシリンダ１１ｂ内での押し戻し動作を惹起させる。
【０００４】
またトリガーポンプ１０は、ピストン１３の押し込み動作で開放され排出流路１１ａ内の流体を外部に排出させる弾性弁からなる排出弁１４と、ピストン１３の押し戻し動作で開放され排出流路１１ａ内に流体を吸入させる玉形弁からなる吸入弁１５とを備え、それらに共通な弁座を備えるインテイク１６をボディ１１内に挿置している。インテイク１６は、シリンダ１１ｂに設けた連通孔１１ｈと整列する連通孔１６ｈを有し、容器本体４０から内容物を吸い上げるディップチューブ１７と、パッキン１８を介して容器本体４０の口部に取り付けるためのキャップ１９を備える。
【０００５】
さらにトリガーポンプ１０は、排出流路１１ａにスピンエレメント２０を介してノズル２１が取り付けられており、使用者のトリガー操作によって容器本体４０から吸い上げられた内容物は、排出流路１１ａを経てスピンエレメント２０およびノズル２１間で旋回することにより排出口２１ａから内容物を霧状に吐出する。
【０００６】
このため、従来のトリガーポンプ１０は、ボディ１１、トリガー１２、ピストン１３、リターンスプリングＳo、排出弁１４、吸入弁１５、インテイク１６、ディップチューブ１７、パッキン１８、キャップ１９、スピンエレメント２０およびノズル２１の１２つのパーツからなっている。
【０００７】
【発明が解決しようとする課題】
しかしながら、こうした従来のトリガー式流体吐出器は、図１９で説明の如く、多数のパーツを組み合わせてなるものであるため、パーツが増えるに伴って組み立て作業も繁雑化すると共にコストの上昇を招いてしまうという問題があり、特に、リターンスプリングＳoは、通常ステンレス等の金属で構成されており、ピストン１３およびシリンダ１１ｂ間に配置されるため、連通孔１１ｈ，１６ｈを介して内容物に触れやすく、しかも組み付けがし難く、さらには廃棄の際、樹脂パーツで構成される他のパーツとの分別が必要となるという不都合があった。
【０００８】
本発明は、上述した問題点に鑑みてなされたものであって、トリガー式流体吐出器を構成するパーツ数を削減することにより、組み立て作業性の向上およびコストの軽減を図ると共に廃棄の容易性を確保することを目的とする。
【０００９】
【課題を解決するための手段】
この課題を解決するため、第１発明であるトリガー式流体吐出器は、水平方向に流体を排出する排出流路および該排出流路の下方に位置するシリンダを有するボディと、このボディで揺動自在に保持されるトリガーと、このトリガーと協働してシリンダ内を摺動するピストンとを備えるトリガー式流体吐出器において、トリガーは、ボディで揺動自在に保持される引っ掛り部分および該引っ掛り部分の揺動部から一体に延在する腕部を折り返し該折り返し部がボディで保持されると共に該腕部の先端が引っ掛り部分と接触可能に位置決めされる弾性部分からなるものであることを特徴とするものである。
【００１０】
第２発明であるトリガー式流体吐出器は、水平方向に流体を排出する排出流路および該排出流路の下方に位置するシリンダを有するボディと、このボディに取り付けられて排出流路との間に内部空間を形成するカバーと、ボディで揺動自在に保持される引っ掛り部分および該引っ掛り部分の揺動部から一体に延在する腕部を折り返し該折り返し部がボディまたはカバーで保持されると共に該腕部の先端が引っ掛り部分と接触可能に位置決めされる弾性部分からなるトリガーと、このトリガーと協働してシリンダ内を摺動するピストンと、このピストンの押し込み動作で開放され排出流路内の流体を外部に排出させる排出弁と、ピストンの押し戻し動作で開放され排出流路内に流体を吸入させる吸入弁とを備えることを特徴とするものである。
【００１１】
第３発明であるトリガー式流体吐出器は、上記第２発明において、排出弁および吸入弁は、排出流路および内部空間内に挿置されて該排出流路および内部空間との間に流路を形成する中子要素に一体に設けた舌片であって、排出弁が排出流路の排出口付近に位置すると共に、吸入弁が内部空間に位置するようにしたものである。
【００１２】
第４発明であるトリガー式流体吐出器は、上記第２発明において、排出弁および吸入弁は、排出流路および内部空間内に挿置されて該排出流路および内部空間との間に流路を形成する中子要素に一体に設けた舌片であって、排出弁および吸入弁が内部空間に位置するようにしたものである。
【００１３】
第５発明であるトリガー式流体吐出器は、上記第２発明において、吸入弁は、内部空間内または該内部空間および排出流路内に挿置され内部流路を備える第１の中子要素と、排出流路内に挿置され内部流路を封鎖する弁体および該弁体をばねを介して開閉可能に保持する第１中空管を備える第２の中子要素とからなり、排出弁は、第１中空管と、排出流路内に挿置されて第１中空管を封鎖する弁体および該弁体をばねを介して開閉可能に保持する第２中空管を備える第３の中子要素とからなるものである。
【００１４】
第６発明であるトリガー式流体吐出器は、上記第２乃至第５発明のいずれか一発明において、ボディは、排出流路の排出口付近にスピンエレメントを一体に備えるものである。
【００１５】
第７発明であるトリガー式流体吐出器は、上記第２乃至第６発明のいずれか一発明において、ボディは、このボディを容器本体の口部に連結するための連結部を一体に備えるものである。
【００１６】
第８発明であるトリガー式流体吐出器は、上記第１乃至第７発明のいずれか一発明において、トリガーは、弾性部分が排出流路とほぼ同一な高さ位置になるように配置されるものである。
【００１７】
第９発明であるトリガー式流体吐出器は、上記第１乃至第８発明のいずれか一発明において、弾性部分は、その腕部の折り返し部を境にして、その一方に、腕部の１ヶ所が折れ曲がる屈曲部を備える一方、その他方に、腕部の複数ヶ所が折れ曲がる波形部を備えるものである。
【００１８】
第１０発明であるトリガー式流体吐出器は、上記第１乃至第９発明のいずれか一発明において、トリガーおよびピストンはそれぞれ、保持ピンおよび該保持ピンより大径の開口を有し、この開口に保持ピンを挿入することによって協働するものである。
【００１９】
【発明の実施の形態】
以下、本発明の実施の形態を添付図面に基づき詳細に説明する。
【００２０】
図１（ａ），（ｂ）はそれぞれ、本発明に係るトリガー式流体吐出器の第１の実施形態であるトリガーポンプ１００を取り付けた容器４００を示す側面図およびそのＡ−Ａ断面図であり、また図２は、トリガーポンプ１００を側面から示す断面図である。
【００２１】
トリガーポンプ１００は、ボディ１１０、カバー１２０、トリガー１３０、ピストン１４０、排出弁および吸入弁を一体に備える中子要素１５０、ノズル１６０およびディップチューブ１７０の７つのパーツからなる。
【００２２】
図３（ａ），（ｂ）はそれぞれ、ボディ１１０の側面図およびその断面図であり、図４（ａ），（ｂ）はそれぞれ、ボディ１１０の上面図および下面図である。
【００２３】
ボディ１１０は、図３に示す如く、水平方向に流体を排出する排出流路１１１および該排出流路１１１の下方に並置されたシリンダ１１２と、後述する連結部１１３とを一体に備える。排出流路１１１は、図３（ｂ）に示す如く、その排出口１１１ａ付近にスピンエレメントを一体に有する一方、その後端開口１１１ｂが段差を形成する大きな径からなるものであり、連結部１１３の開口から導入されたディップチューブ１７０と第１通路ｒ1を介して連通し、シリンダ１１２は、第２通路ｒ2を介して排出流路１１１と連通すると共に、第３通路ｒ3を介して連結部１１３と連通する。
【００２４】
連結部１１３は、従来のキャップ１９（図１９参照）に代わって、容器本体４００の口部４１０（図２参照）に連結するためものであって、図１（ｂ）に示す如く、容器本体４００の口部４１０に設けた凸部４１１が嵌合する開口１１３ｈを有する。この場合、キャップ１９を用いることなく、容器本体４００の凸部４１１を連結部１１３に設けた開口１１３ｈに嵌合させるだけで容器本体４００に対する取り付けと共にその位置決めを行うことができる。しかも、開口１１３ｈから露出した容器本体４００の凸部４１１を容器本体４００の内側に押圧すれば、ボディ１１０を容器本体４００から用意に取り外すことができる。
【００２５】
なお、連結部１１３には、容器本体４００に設けた凸部４１１に嵌合する形状であれば、開口１１３ｈに代えて、ボディ１１０の外側面が開口されていない凹部とし、この凹部に容器本体４００に設けた凸部４１１を嵌合させてもよい。また反対に、連結部１１３に、容器本体４００の口部４１０に設けた開口または凹部に嵌合する凸部を設けてもよい。さらには、連結部１１３内面に設けたネジを容器本体４００の口部４１０の外面に設けたネジに螺合してもよい。
【００２６】
図５（ａ），（ｂ）はそれぞれ、カバー１２０の正面図およびその断面図である。カバー１２０は、その天面内側に２つのガイド板１２１およびフック部分１２２と、仕切板１２３とを一体に備える。２つのガイド板１２１は、図２に示す如く、ボディ１１０に対してカバー１２０を位置決めし、２つのフック部分１２２は、ボディ１１０の上面に形成した２つのフック穴１１０ｈ1それぞれに嵌合してカバー１２０をボディ１１０に固定する。仕切板１２３は、図２に示す如く、ボディ１１０にカバー１２０を取り付ける際、排出流路１１１の後端開口１１１ｂを封鎖して該排出流路１１１との間に内部空間Ｒを形成する。
【００２７】
図６（ａ）〜（ｃ）はそれぞれ、トリガー１３０の正面図および側面図並びに（ａ）のＡ−Ａ断面図である。
【００２８】
トリガー１３０は、使用者が指を引っ掛ける引っ掛り部分１３１に、ボディ１１０に設けたピン１１４を嵌合させるピン穴１３１ｈを有し、ボディ１１０で揺動自在に保持されるものであり、引っ掛り部分１３１と一体に弾性部分１３２が設けられている。
【００２９】
弾性部分１３２は、図６（ｂ），（ｃ）に示す如く、引っ掛り部分１３１の揺動部であるピン穴１３１ｈから延在する２つの腕部それぞれを折り返し、これら腕部の先端１３２ｅをそれぞれ所定のクリアランスΔｃをもってピン穴１３１ｈ付近に設けた梁１３３で支持した形状からなり、その腕部の折り返し部１３２ｃを境にして、その一方に、腕部の１ヶ所が折れ曲がる屈曲部１３２ａを備える一方、その他方に、腕部の複数ヶ所が折れ曲がる波形部１３２ｂを備える。
【００３０】
トリガー１３０をボディ１１０に組み付ける時には、図２に示す如く、弾性部分１３２が排出流路１１１とほぼ同一な高さ位置になるように配置し、腕部を折り返したときの折り返し部１３２ｃがボディ１１０に設けた内壁１１０ｗで保持されるようにする。このとき弾性部分１３２は、引っ掛り部分１３１と接触するように位置決めされる。なお、本実施形態では、折り返し部１３２ｃに突起１３４を設け、この突起１３４それぞれを、図２に示す如く、ボディ１１０の上面に形成した２つの取り付け穴１１０ｈ2それぞれに嵌合させて、トリガー１３０をボディ１１０に対してさらに強固に固定している。
【００３１】
図７（ａ），（ｂ）はそれぞれ、ピストン１４０の上面を示す断面図およびその側面を示す一部断面図である。ピストン１４０は、引っ掛り部分１３１に設けたピン１３１ｐよりも大径の開口１４０ｈを有し、図２に示す如く、この開口１４０ｈにピン１３１ｐを挿入することによって協働するものであり、その先端１４０ａは、引っ掛り部分１３１に形成したピストン導入部１３１ｋに挿入されている。このピン１３１ｐと開口１４０ｈによれば、トリガー１３０の引き操作や、弾性部分１３２の付勢力によって生じるトリガー１３０の戻りがピストン１４０に対して滑らかに伝達されるため、簡単かつ安価に操作性を向上させることができる。
【００３２】
図８（ａ），（ｂ）はそれぞれ、中子要素１５０の上面およびその側面を示す一部断面図である。中子要素１５０は、ポリエチレンなどの弾性材料からなり、ボディ１１０に設けた開口１１１ｈに嵌合する凸部１５１と、排出流路１１１の内壁と接触する複数のリブ１５２とによって、排出流路１１１および内部空間Ｒに挿置されて排出流路１１１および内部空間Ｒとの間に流路を形成する。
【００３３】
また中子要素１５０は、図２に示す如く、排出流路１１１の排出口１１１ａ付近の位置と、内部空間Ｒの位置とに逆止弁である環状の舌片１５３，１５４を一体に備える。舌片１５３，１５４はそれぞれ、弾性材料からなるため、中子要素１５０を排出流路１１１および内部空間Ｒに挿置した状態では、図２に示す如く、その弾性力によって排出口１１１ａ付近の内周面（以下、座部という）１１１ｆ1および内部空間Ｒの内周面（以下、座部という）１１１ｆ2を封鎖して排出流路１１１および中子要素１５０間に環状の密閉空間Ｒ1を画成する。
【００３４】
このため、舌片１５３は、シリンダ１１２内にてピストン１４０を押し込んで第２通路ｒ2を介して密閉空間Ｒ1を加圧すると、その弾性力に抗して座部１１１ｆ1から離間して密閉空間Ｒ1を排出流路１１１から外部に開放し、舌片１５４は、シリンダ１１２内にてピストン１４０を引き戻して第２通路ｒ2を介して密閉空間Ｒ1を減圧すると、その弾性力に抗して座部１１１ｆ2から離間して密閉空間Ｒ1を開放する。
【００３５】
つまり、舌片１５３は、トリガー１３０の引き操作に協働して惹起されるピストン１４０の押し込み動作で開放され排出流路１１１内の流体を外部に排出させる排出弁であり、舌片１５４は、弾性部分１３２の付勢力によって生じるトリガー１３０の戻りに協働して惹起されるピストン１４０の押し戻し動作で開放され排出流路１１１内に流体を吸入させる吸入弁である。
【００３６】
図９（ａ），（ｂ）はそれぞれ、ボディ１１０の排出流路１１１の排出口１１１ａ付近に取り付けられるノズル１６０を示す正面図およびそのＡ−Ａ断面図である。ボディ１１０は、排出流路１１１の排出口１１１ａ付近に従来のスピンエレメント２０（図１９参照）を一体に備えており、その外周にノズル１６０を取り付ける。
【００３７】
ここで、トリガーポンプ１００付き容器４００の作用を説明する。
【００３８】
図２に示す如く、始めに使用者が矢印ｄの方向にトリガー１３０の引っ掛り部１３１を引くと、トリガー１３０の引き操作に協働してピストン１４０がトリガー１３０の弾性部分１３２の弾性力に抗してシリンダ１１２内にて押し込まれて密閉空間Ｒ1内を加圧する。このとき、弾性部材１３２の腕部先端１３２ｅが引っ掛り部１３１を押圧する一方、屈曲部１３２ａが伸張すると同時に波形部１３２ｂが収縮する。
【００３９】
すると、密閉空間Ｒ1内では圧力が上昇するため、排出弁１５３は、吸入弁１５４を着座させたまま、その弾性力に抗して座部１１１ｆ1から離間し、密閉空間Ｒ1内の空気を排出流路１１１からノズル１６０へ排出した後、その弾性力によって再び座部１１１ｆ1に着座する。その後、使用者がトリガー１３０から手を離すと、屈曲部１３２ａが収縮すると同時に波形部１３２ｂが伸張して復元されるため、その弾性部分１３２の付勢力によって、ピストン１４０がトリガー１３０を介して押し戻されて密閉空間Ｒ1内に負圧が生じる。このため、吸入弁１５４は、排出弁１５３を着座させたまま、その弾性力に抗して座部１１１ｆ2から離間すると共に容器本体４００内の内容物をディップチューブ１７０および第１通路ｒ1を介して吸い上げて密閉空間Ｒ1内に導入する。
【００４０】
以後、使用者がトリガー１３０の引き操作を繰り返すと、密閉空間Ｒ1内に充填された内容物の圧力が増減するため、排出弁１５３および吸入弁１５４が交互に開閉して容器本体４００内の内容物を汲み上げ、この内容物が排出流路１１１を経て排出口１１１ａおよびノズル１６０で旋回することによりノズル１６０の開口１６０ａから噴霧される。
【００４１】
つまり、トリガーポンプ１００は、トリガー１３０の引き操作に協働してシリンダ１１２内でのピストン１４０の押し込み動作が惹起される一方、トリガー１３０から指を離した際には、引っ掛り部分１３１と一体に形成された弾性部分１３２にて生じる付勢力によってシリンダ１１２内でのピストン１４０の押し戻し動作が惹起されるから、内容物に触れやすく、しかも組み付けがし難いリターンスプリングが不要となる。このため、引っ掛り部分１３１および弾性部分１３２の共通化によって削減されたリターンスプリング分だけ、組み立て作業性が向上し製造コストも軽減できる。
【００４２】
しかも、トリガー１３０が引っ掛り部分１３１と一体の弾性部分１３２を備えることによって、トリガーポンプ１００のパーツ全てを樹脂製にできるため、製造および廃棄が容易になる。特に、構成パーツの全てを同一樹脂（例えば、ポリプロピレン）で構成する場合、成分などが異なる異樹脂の分別も不要となるため、リサイクルに好適である。なお、トリガー１３０に用いられる樹脂は、例えば、コスト面を考慮した場合にはＰＰ（ポリプロピレン）を用い、耐久性を考慮した場合にはＰＯＭ（ポリアセタール）を用いるなど、パーツ毎の使い分けが可能であり、その他、ＰＥ（ポリエチレン）やＰＥＴ（ポリエチレンテレフタレート）等、各パーツの機能・目的に応じて既存のあらゆる樹脂が使用可能である。
【００４３】
加えて、弾性部分１３２が、引っ掛り部分１３１の揺動部であるピン穴１３１ｈから一体に延在する腕部を折り返し該折り返し部１３２ｃがボディ１１０の内壁１１０ｗで保持されると共に該腕部の先端１３２ｅが引っ掛り部分１３１と接触可能に位置決めされるものであることから、弾性部分１３２の復元性がよく、トリガー１３０から指を離した後の押し戻し動作が速やかに実行されるため、操作性も向上する。なお、本実施形態のトリガー１３０は、腕部先端１３２ｅが噴霧方向に対し左右にずれ、引っ張り部分１３１に非接触の状態となるのを防止するため、引っ掛り部分１３１に対し梁１３３で一体に支持しているが、梁１３３で支持することなく位置決めされるものであってもよい。
【００４４】
また、弾性部分１３２は、その腕部を折り返しその先端１３２ｅが引っ掛り部１３１と接触可能に位置決めされる形状であればよいが、弾性部分１３２の復元性や耐久性を考慮する場合、その腕部の折り返し部１３２ｃを境にして、その一方に、腕部の１ヶ所が折れ曲がる屈曲部１３２ａを備える一方、その他方に、腕部の複数ヶ所が折れ曲がる波形部１３２ｂを備えることが好ましく、特に、本実施形態のように屈曲部１３２ａおよび波形部１３２ｂを配置すると最も効果的である。
【００４５】
またトリガー１３０は、本実施形態の如く、その弾性部分１３２が排出流路１１１とほぼ同一な高さ位置になるように配置することが好ましい。この場合、トリガー１３０の引き操作をピストン１４０に対して最も効率的に伝達しつつカバー１２０の高さ寸法を最小限に抑えることにより、トリガーポンプ１００の小型化を図ることができる。
【００４６】
またトリガーポンプ１００は、排出流路１１１および内部空間Ｒ内に挿置される中子要素１５０に排出弁１５３および吸入弁１５４を一体に設けたことから、トリガーポンプ１００を構成するパーツ数、具体的に図１９の従来技術と比較すると、インテイク１６と、弾性弁１４または玉形弁１５のいずれか一方との計２つを削減することができる。従って、排出弁１５３および吸入弁１５４の共通化によって削減されたパーツ分だけ、組み立て作業性の向上と共にコストの軽減を図ることができる。この場合、排出弁１５３および吸入弁１５４は、弾性材料からなる環状の舌片であるため、中子要素１５０と共に簡単且つ安価に製造することができる。
【００４７】
また本実施形態によれば、ボディ１１０は、排出流路１１１の排出口１１１ａ付近にスピンエレメントを一体備えるものであるから、従来のスピンエレメント２０のパーツ分だけ、組み立て作業性の向上と共にコストの低減を図ることができる。さらにボディ１１０は、このボディ１１０を容器本体４００の口部４１０に連結するための連結部１１３を一体に備えるものであるから、従来のキャップ１９のパーツ分だけ、組み立て作業性の向上と共にコストの低減を図ることができる。特に本実施形態の連結部１１３は、例えば、容器４００の凸部４１１およびボディ１１０に設けた開口１１３ｈによる嵌合または、容器４００の凸部４１１およびボディ１１０に設けた凹部による嵌合などの容器４００に対する位置決めを行うものとしたことにより、容器４００に対するトリガーポンプ１００の取り付けと共にその位置合わせも容易になるから、さらなる組み立て作業性の向上が図れる。
【００４８】
上記したことから明らかなように、水平方向に排出流路およびその下方にシリンダを設けたトリガー式吐出器において、
従来のトリガーポンプ１０は、図１９に示す如く、ボディ１１、トリガー１２、ピストン１３、リターンスプリングＳo、排出弁１４、吸入弁１５、インテイク１６、ディップチューブ１７、パッキン１８、キャップ１９、スピンエレメント２０およびノズル２１の１２つのパーツからなるのに対し、
本実施形態のトリガーポンプ１００は、ボディ１１０、カバー１２０、トリガー１３０、ピストン１４０、排出弁および吸入弁を一体に備える中子要素１５０、ノズル１６０およびディップチューブ１７０の７つのパーツで済む。
【００４９】
図１０は、本発明の第２の実施形態であるトリガーポンプ２００を取り付けた容器４００を側面から示す断面図である。
【００５０】
トリガーポンプ２００は、第１実施形態と同様、ボディ２１０、カバー２２０、トリガー２３０、ピストン２４０、排出弁および吸入弁を一体に備える中子要素２５０、ノズル２６０およびディップチューブ２７０の７つのパーツからなり、中子要素２５０に一体に設けた環状の舌片２５３，２５４の配置が異なるものである。このため、本実施形態では、ボディ２１０および中子要素２５０以外は第１実施形態と共通なパーツとし、カバー１２０、トリガー１３０、ピストン１４０、ノズル１６０およびディップチューブ１７０に置き換えてその説明を省略する。
【００５１】
図１１（ａ），（ｂ）はそれぞれ、ボディ２１０の側面図およびその断面図であり、図１２（ａ），（ｂ）はそれぞれ、中子要素２５０の上面およびその側面を示す一部断面図である。
【００５２】
ボディ２１０は、図１１に示す如く、水平方向に流体を排出する排出流路２１１および該排出流路２１１の下方に並置されたシリンダ２１２と、連結部２１３とを一体に備える。排出流路２１１は、図１１（ｂ）に示す如く、その排出口２１１ａ付近にスピンエレメントを一体に有する一方、その後端開口２１１ｂが段差を形成する大きな径からなり、その段差部分には、水平方向に沿って延在する環状の内壁２１１ｐを有し、連結部２１３の開口から導入されたディップチューブ１７０と第１通路ｒ1を介して連通する。またシリンダ２１２は、第２通路ｒ2を介して排出流路２１１と連通すると共に、第３通路ｒ3を介して連結部２１３と連通し、この連結部２１３は、容器本体４００の口部４１０に設けた凸部４１１が嵌合する開口２１３ｈを有する。
【００５３】
トリガー１３０は、図１０に示す如く、ボディ２１０に設けたピン２１４をピン穴１３１ｈに嵌合させることによってボディ２１０で揺動自在に保持されると共に、弾性部分１３２の折り返し部１３２ｃがボディ２１０に設けた内壁２１０ｗで保持される。このとき弾性部分１３２は、引っ掛り部分１３１と接触するように位置決めされる。また折り返し部１３２ｃに設けた突起１３４も、ボディ２１０の上面に形成した２つの取り付け穴２１０ｈ2それぞれに嵌合させてトリガー１３０をボディ２１０に対してさらに強固に固定している。
【００５４】
カバー１２０は、図１０に示す如く、第１実施形態と同様、その天面内側に設けた２つのガイド板１２１でボディ２１０に対して位置決めされ、同じく天面内側に設けた２つのフック部分１２２をボディ２１０の上面に形成した２つのフック穴２１０ｈ1それぞれに嵌合させてボディ２１０に固定される。このため、第一実施形態と同様、ボディ２１０にカバー１２０を取り付ける際、カバー１３０に設けた仕切板１２３で排出流路２１１の後端開口２１１ｂを封鎖して該排出流路２１１との間に内部空間Ｒを形成する。
【００５５】
中子要素２５０は、ポリエチレンなどの弾性材料からなり、図１２に示す如く、ボディ２１０に設けた開口２１１ｈに嵌合する２つの凸部２５１と、排出流路２１１の内壁との間に流路を形成する流路溝２５２とによって、排出流路２１１および内部空間Ｒに挿置されて排出流路２１１および内部空間Ｒとの間に流路を形成する。
【００５６】
また中子要素２５０は、内部空間Ｒの位置に環状の舌片２５３，２５４を一体に備える。舌片２５３，２５４はそれぞれ、弾性材料からなるため、図１０に示す如く、中子要素２５０を排出流路２１１および内部空間Ｒに挿置した状態では、その弾性力によって環状内壁２１１ｐの内周面（以下、座部という）２１１ｆ1および内部空間Ｒの内周面（以下、座部という）２１１ｆ2を封鎖して環状の密閉空間Ｒ1を画成する。このため、第１実施形態と同様、舌片２５３は、シリンダ２１２内にてピストン１４０を押し込んで第２通路ｒ2を介して密閉空間Ｒ1を加圧すると、その弾性力に抗して座部２１１ｆ1から離間して密閉空間Ｒ1を流路溝２５２および排出流路１１１から外部に開放し、舌片２５４は、シリンダ２１２内にてピストン１４０を引き戻して第２通路ｒ2を介して密閉空間Ｒ1を減圧すると、その弾性力に抗して座部２１１ｆ2から離間して密閉空間Ｒ1を開放する。
【００５７】
つまり、舌片２５３は、第１実施形態と同様、トリガー１３０の引き操作に協働して惹起されるピストン１４０の押し込み動作で開放され排出流路２１１内の流体を外部に排出させる排出弁であり、舌片２５４は、弾性部分２３２の付勢力によって生じるトリガー１３０の戻りに協働して惹起されるピストン１４０の押し戻し動作で開放され排出流路２１１内に流体を吸入させる吸入弁である。
【００５８】
ここで、トリガーポンプ２００付き容器４００の作用を説明する。
【００５９】
図１０に示す如く、始めに使用者が矢印ｄの方向にトリガー１３０の引っ掛り部１３１を引くと、トリガー１３１の引き操作に協働してピストン１４０がトリガー１３０の弾性部分１３２の弾性力に抗してシリンダ２１２内にて押し込まれて密閉空間Ｒ1内を加圧する。このとき、弾性部材１３２の腕部先端２３２ｅが引っ掛り部１３１を押圧する一方、屈曲部１３２ａが伸張すると同時に波形部１３２ｂが収縮する。
【００６０】
すると、密閉空間Ｒ1内では圧力が上昇するため、排出弁２５３は、吸入弁２５４を着座させたまま、その弾性力に抗して座部２１１ｆ1から離間し、密閉空間Ｒ1内の空気を流路溝２５２および排出流路２１１からノズル１６０へ排出した後、その弾性力によって再び座部２１１ｆ1に着座する。その後、使用者がトリガー１３０から手を離すと、屈曲部１３２ａが収縮すると同時に波形部１３２ｂが伸張して復元されるため、その弾性部分１３２の付勢力によって、ピストン１４０がトリガー１３０を介して押し戻されて密閉空間Ｒ1内に負圧が生じる。このため、吸入弁２５４は、排出弁２５３を着座させたまま、その弾性力に抗して座部２１１ｆ2から離間すると共に容器本体４１０内の内容物をディップチューブ１７０および第１通路ｒ1を介して吸い上げて密閉空間Ｒ1内に導入する。
【００６１】
以後、使用者がトリガー１３０の引き操作を繰り返すと、密閉空間Ｒ1内に充填された内容物の圧力が増減するため、排出弁２５３および吸入弁２５４が交互に開閉して容器本体４００内の内容物を汲み上げ、この内容物が排出流路２１１を経て排出口２１１ａおよびノズル１６０で旋回することによりノズル１６０の開口１６０ａから噴霧される。
【００６２】
従って、本実施形態も、ボディ２１０、カバー２２０、トリガー２３０、ピストン２４０、排出弁および吸入弁を一体に備える中子要素２５０、ノズル２６０およびディップチューブ２７０の７つのパーツからなり、第１実施形態と同様の作用効果が得られる。
【００６３】
図１３は、本発明の第３の実施形態であるトリガーポンプ３００を取り付けた容器４００を側面から示す断面図であり、図１４は、トリガーポンプ３００の全パーツを側面または、その全体若しくは一部を断面で示す分解図である。
【００６４】
トリガーポンプ３００は、ボディ３１０、カバー３２０、トリガー３３０、ピストン３４０、排出弁および吸入弁を構成する中子要素３５０、ノズル３６０およびディップチューブ３７０を備え、中子要素３５０は、３つのパーツ３５１，３５２，３５３からなる。このため、本実施形態も、第２実施形態と同様、ボディ３１０および中子要素３５０以外は第１実施形態と共通なパーツとし、カバー１２０、トリガー１３０、ピストン１４０、ノズル１６０およびディップチューブ１７０に置き換えてその説明を省略する。
【００６５】
図１５（ａ），（ｂ）はそれぞれ、ボディ３１０の側面図およびその断面図である。
ボディ３１０は、図１５に示す如く、水平方向に流体を排出する排出流路３１１および該排出流路３１１の下方に並置されたシリンダ３１２と、連結部３１３とを一体に備える。排出流路３１１は、その排出口３１１ａ付近にスピンエレメントを一体に有する一方、その後端開口３１１ｂが段差を形成する大きな径からなるものであり、その段差部分には、水平方向に沿って一部延在する流通溝３１１ｎを有し、連結部３１３の開口から導入されたディップチューブ１７０と第１通路ｒ1を介して連通する。またシリンダ３１２は、第２通路ｒ2を介して排出流路３１１と連通すると共に、第３通路ｒ3を介して連結部３１３と連通し、この連結部３１３は、容器本体４００の口部４１０に設けた凸部４１１が嵌合する開口３１３ｈを有する。
【００６６】
トリガー１３０は、図１３に示す如く、ボディ３１０に設けたピン３１４をピン穴１３１ｈに嵌合させることによってボディ３１０で揺動自在に保持されると共に、弾性部分１３２の折り返し部１３２ｃがボディ３１０に設けた内壁３１０ｗで保持される。このとき弾性部分１３２は、引っ掛り部分１３１と接触するように位置決めされる。また折り返し部１３２ｃに設けた２つの突起１３４それぞれも、ボディ３１０の上面に形成した２つの取り付け穴３１０ｈ2それぞれに嵌合させてトリガー１３０をボディ３１０に対してさらに強固に固定している。
【００６７】
カバー１２０は、図１３に示す如く、第１実施形態と同様、その天面内側に設けた２つのガイド板１２１でボディ３１０に対して位置決めされ、同じく天面内側に設けた２つのフック部分１２２をボディ３１０の上面に形成した２つのフック穴３１０ｈ1それぞれに嵌合させてボディ３１０に固定される。このため、第１実施形態と同様、ボディ３１０にカバー１２０を取り付ける際、カバー１３０に設けた仕切板１２３で排出流路３１１の後端開口３１１ｂを封鎖して該排出流路３１１との間に内部空間Ｒを形成する。
【００６８】
図１６（ａ），（ｂ）はそれぞれ、第１の中子要素３５１の下面図およびそのＡ−Ａ断面図である。
第１の中子要素３５１は、その外面に、図１６（ａ）に示す如く、ボディ３１０に設けた開口３１１ｈに嵌合する凸部３５１ｐを備え、これによって、排出流路３１１および内部空間Ｒ内に挿置される。また第１の中子要素３５１は、図１６（ｂ）に示す如く、ボディ３１０の第１通路ｒ1を介してディップチューブ３７０と連通する内部流路３５１ｒを備える。この内部流路３５１ｒは、その水平流路に段差部分３５１ｄを有し、流通孔３５１ｈを介してボディ３１０に設けた流通溝３１１ｎと連通する。
【００６９】
図１７（ａ），（ｂ）はそれぞれ、第２の中子要素３５２の平面図およびそのＡ−Ａ断面図である。
【００７０】
第２の中子要素３５２は、ボディ３１０の排出流路３１１内に挿置され第１の中子要素３５１に設けた内部流路３５１ｒを封鎖する弁体３５２ａと、この弁体３５２ａをばね３５２ｂを介して保持する第１中空管３５２ｃとを備え、この第１中空管３５２ｃの中空部分が内部流路３５２ｒを構成する。第２の中子要素３５２は、図１３に示す如く、弁体３５２ａが第１の中子要素３５１に設けた内部流路３５１ｒ内に挿入され、この内部流路３５１ｒ内に設けた段差部分３５１ｄに接触するように組み付けられる。
【００７１】
図１８（ａ），（ｂ）はそれぞれ、第３の中子要素３５３の平面図およびそのＡ−Ａ断面図である。
【００７２】
第３の中子要素３５３は、ボディ３１０の排出流路３１１内に挿置されて第１中空管３５２ｃ設けた内部流路３５２ｒを封鎖する弁体３５３ａと、この弁体３５３ａをばね３５３ｂを介して保持する第２中空管３５３ｃを備え、この第２中空管３５３ｃの中空部分が内部流路３５３ｒを構成する。第３の中子要素３５３は、弁体３５３ａが第１中空管３５２ｃに設けた内部流路３５２ｒ内に挿入され、この内部流路３５２ｒの排出口３５２ｅに接触するように組み付けられる。
【００７３】
３つの中子要素３５１〜３５３を排出流路３１１および内部空間Ｒに挿置した状態では、弁体３５２ａがばね３５２ｂの付勢力によって段差部分（以下、座部という）３５１ｄを封鎖すると共に、弁体３５３ａがばね３５３ｂの付勢力によって内部流路３５２ｒの排出口（以下、座部という）３５２ｅを封鎖して密閉空間Ｒ1を画成する。
【００７４】
このため、弁体３５３ａは、シリンダ３１２内にてピストン１４０を押し込んで第２通路ｒ2から流通溝３１１ｎおよび流通孔３５１ｈを介して密閉空間Ｒ1を加圧すると、ばね３５３ｂの付勢力に抗して座部３５２ｄから離間して密閉空間Ｒ1を排出流路３１１から外部に開放し、弁体３５２ａは、シリンダ３１２内にてピストン１４０を引き戻して第２通路ｒ2から流通溝３１１ｎおよび流通孔３５１ｈを介して密閉空間Ｒ1を減圧すると、ばね３５２ｂの付勢力に抗して座部３５２ｄから離間して密閉空間Ｒ1を開放する。
【００７５】
つまり、第１中空管３５２ｃおよび第３の中子要素３５３は、トリガー１３０の引き操作に協働して惹起されるピストン１４０の押し込み動作で開放され排出流路３１１内の流体を外部に排出させる排出弁を構成し、第１の中子要素３５１および第２の中子要素３５２は、弾性部分１３２の付勢力によって生じるトリガー３３０の戻りに協働して惹起されるピストン１４０の押し戻し動作で開放され排出流路３１１内に流体を吸入させる吸入弁を構成する。
【００７６】
ここで、トリガーポンプ３００付き容器４００の作用を詳細に説明する。
【００７７】
図１３に示す如く、始めに使用者が矢印ｄの方向にトリガー１３０の引っ掛り部１３１を引くと、トリガー１３１の引き操作に協働してピストン１４０がトリガー１３０の弾性部分１３２の付勢力に抗してシリンダ３１２内にて押し込まれて密閉空間Ｒ1内を加圧する。このとき、弾性部材１３２の腕部先端１３２ｅが引っ掛り部１３１を押圧する一方、屈曲部１３２ａが伸張すると同時に波形部１３２ｂが収縮する。
【００７８】
すると、密閉空間Ｒ1内では圧力が上昇するため、第３中子要素３５３の弁体３５３ａは、第２中子要素３５２の弁体３５２ａを着座させたまま、ばね３５３ｂの付勢力に抗して第２中子要素の座部３５２ｅから離間し、密閉空間Ｒ1内の空気を第２中空管３５３ｃの内部流路３５３ｒおよび排出流路３１１からノズル１６０へ排出した後、ばね３５３ｂの付勢力によって再び座部３５２ｅに着座する。その後、使用者がトリガー１３０から手を離すと、屈曲部１３２ａが収縮すると同時に波形部１３２ｂが伸張して復元されるため、その弾性部分１３２の付勢力によって、ピストン１４０がトリガー１３０を介して押し戻されて密閉空間Ｒ1内に負圧が生じる。このため、第２中子要素３５２の弁体３５２ａは、第３中子要素３５３の弁体３５３ａを着座させたまま、ばね３５２ｂの付勢力に抗して第１中子要素３５１の座部３５１ｄから離間すると共に容器本体４１０内の内容物をディップチューブ１７０および第１通路ｒ1を介して吸い上げて密閉空間Ｒ1内に導入する。
【００７９】
以後、使用者がトリガー１３０の引き操作を繰り返すと、密閉空間Ｒ1内に充填された内容物の圧力が増減するため、第３中子要素の弁体３５３ａおよび第２中子要素の弁体３５２ａが交互に開閉して容器本体４００内の内容物を汲み上げ、この内容物が排出流路３１１を経て排出口３１１ａおよびノズル１６０で旋回することによりノズル１６０の開口１６０ａから噴霧される。
【００８０】
従来のトリガーポンプ１０は、ボディ１１、トリガー１２、ピストン１３、リターンスプリングＳo、排出弁１４、吸入弁１５、インテイク１６、ディップチューブ１７、パッキン１８、キャップ１９、スピンエレメント２０およびノズル２１の１２つのパーツからなるのに対し、
本実施形態のトリガーポンプ３００は、ボディ３１０、カバー３２０、トリガー３３０、ピストン３４０、第１中子要素３５０、第２中子要素３５２、第３中子要素３５３、ノズル３６０およびディップチューブ３７０の９つのパーツで済む。
【００８１】
またトリガーポンプ３００によれば、弁体３５２ａをばね３５２ｂの付勢力で座部３５１ｄに対して開閉自在に封鎖する共に、弁体３５３ａをばね３５３ｂの付勢力で座部３５２ｅに対して開閉自在に封鎖するため、トリガーポンプ３００の吐出量が、ばね３５２ｂ，３５３ｂを調整することによって適宜変更できる。
【００８２】
上述したところは、本発明の好適な実施形態を示したに過ぎず、当業者によれば、請求の範囲において種々の変更を加えることができる。例えば、トリガーはボディではなく、カバーで回動自在に保持してもよい。同様に引っ掛り部分と一体に設けた弾性部分の折り返し部もボディの内壁ではなく、カバーで保持してもよい。またトリガーポンプは、従来のキャップやスピンエレメントを用いてもよく、さらに、スピンエレメントを用いないで乳液などの内容物をそのまま排出するタイプであってもよい。
【００８３】
【発明の効果】
本発明であるトリガー式流体吐出器は、トリガーの引き操作に協働してシリンダ内におけるピストンの押し込み動作が惹起される一方、トリガーから指を離した際には、引っ掛り部分と一体に形成された弾性部分にて生じる付勢力によってシリンダ内におけるピストンの押し戻し動作が惹起されるから、内容物に触れやすく、しかも組み付けがし難いリターンスプリングが不要となる。このため、引っ掛り部分および弾性部分の共通化によって削減されたリターンスプリング分だけ、組み立て作業性が向上し製造コストも軽減できる。
【００８４】
しかも本発明は、トリガーが引っ掛り部分と一体の弾性部分を備えることによって、トリガー式流体吐出器のパーツ全てを樹脂製にできるため、製造および廃棄が容易になる。特に、構成パーツの全てを同一樹脂（例えば、ポリプロピレン）で構成する場合、成分などが異なる異樹脂の分別も不要となるため、リサイクルに好適である。
【００８５】
加えて本発明は、弾性部分を、引っ掛り部分の揺動部から一体に延在する腕部を折り返し該折り返し部がボディの内壁で保持されると共に該腕部の先端が引っ掛り部分と接触可能に位置決めされるものとしたことにより、弾性部分の復元性がよく、トリガーから指を離した後の押し戻し動作が速やかに実行されるため、操作性も向上する。
【図面の簡単な説明】
【図１】  図１（ａ），（ｂ）はそれぞれ、本発明の第１の実施形態であるトリガーポンプを取り付けた容器を示す正面図およびそのＡ−Ａ断面図である。
【図２】  同実施形態であるトリガーポンプを側面から示す断面図である。
【図３】  （ａ），（ｂ）はそれぞれ、同実施形態におけるボディの側面図およびその断面図である。
【図４】  （ａ），（ｂ）はそれぞれ、同実施形態におけるボディの上面図および下面図である。
【図５】  （ａ），（ｂ）はそれぞれ、同実施形態におけるカバーの正面図およびその断面図である。
【図６】  （ａ）〜（ｃ）はそれぞれ、同実施形態におけるトリガーの正面図および側面図並びに、（ａ）のＡ−Ａ断面図である。
【図７】  （ａ），（ｂ）はそれぞれ、同実施形態におけるピストンの上面を示す断面図およびその側面を示す一部断面図である。
【図８】  （ａ），（ｂ）はそれぞれ、同実施形態における中子要素の上面およびその側面を示す一部断面図である。
【図９】  （ａ），（ｂ）はそれぞれ、ボディの排出口付近に取り付けられるノズルを示す正面図およびそのＡ−Ａ断面図である。
【図１０】  本発明の第２の実施形態であるトリガーポンプを取り付けた容器を側面から示す断面図である。
【図１１】  （ａ），（ｂ）はそれぞれ、同実施形態におけるボディの側面図およびその断面図である。
【図１２】  （ａ），（ｂ）はそれぞれ、同実施形態における中子要素の上面およびその側面を示す一部断面図である。
【図１３】  本発明の第３の実施形態であるトリガーポンプを取り付けた容器を側面から示す断面図であり、
【図１４】  同実施形態におけるトリガーポンプの全パーツを側面または、その全体若しくは一部を断面で示す分解図である。
【図１５】  （ａ），（ｂ）はそれぞれ、同実施形態におけるボディの側面図およびその断面図である。
【図１６】  （ａ），（ｂ）はそれぞれ、同実施形態における第１の中子要素の下面図およびそのＡ−Ａ断面図である。
【図１７】  （ａ），（ｂ）はそれぞれ、同実施形態における第２の中子要素の平面図およびそのＡ−Ａ断面図である。
【図１８】  （ａ），（ｂ）はそれぞれ、同実施形態における第３の中子要素の平面図およびそのＡ−Ａ断面図である。
【図１９】  従来のトリガー式流体吐出器として例示したトリガーポンプと、このトリガーポンプを取り付ける容器本体の口部とを示す分解断面図である。
【符号の説明】
１００  トリガーポンプ
１１０  ボディ
１１０ｗ  内壁
１１１  排出流路
１１１ａ  排出口
１１１ｂ  後端開口
１１２  シリンダ
１１３  連結部
１１３ｈ  開口
１２０  カバー
１３０  トリガー
１３１  引っ掛り部分
１３２  弾性部分
１３３  梁
１４０  ピストン
１５３  舌片（排出弁）
１５４  舌片（吸入弁）
１５０  中子要素
１６０  ノズル
１７０  ディップチューブ
２００  トリガーポンプ
２１０  ボディ
２１０ｗ  内壁
２１１  排出流路
２１１ａ  排出口
２１１ｂ  後端開口
２１１ｐ  環状内壁
２１２  シリンダ
２１３  連結部
２１３ｈ  開口
２５０  中子要素
２５２  流路溝
２５３  舌片（排出弁）
２５４  舌片（吸入弁）
３００  トリガーポンプ
３１０  ボディ
３１０ｗ  内壁
３１１  排出流路
３１１ａ  排出口
３１１ｂ  後端開口
３１１ｎ  流通溝
３１２  シリンダ
３１３  連結部
３１３ｈ  開口
３５０  中子要素
３５１  第１中子要素
３５１ｄ  段差部分
３５１ｎ  流通孔
３５１ｒ  内部流路
３５２  第２中子要素
３５２ａ  弁体
３５２ｂ  ばね
３５２ｃ  中空管
２５２ｒ  内部流路
３５３  第３中子要素
３５３ａ  弁体
３５３ｂ  ばね
３５３ｃ  中空管
３５１ｒ  内部流路
４００  容器本体
４１０  口部
４１１  凸部
ｒ1  第１通路
ｒ2  第２通路
ｒ3  第３通路
Ｒ1  密閉空間
【図１】
0003916998.tif 000002
【図２】
0003916998.tif 000003
【図３】
0003916998.tif 000004
【図４】
0003916998.tif 000005
【図５】
0003916998.tif 000006
【図６】
0003916998.tif 000007
【図７】
0003916998.tif 000008
【図８】
0003916998.tif 000009
【図９】
0003916998.tif 000010
【図１０】
0003916998.tif 000011
【図１１】
0003916998.tif 000012
【図１２】
0003916998.tif 000013
【図１３】
0003916998.tif 000014
【図１４】
0003916998.tif 000015
【図１５】
0003916998.tif 000016
【図１６】
0003916998.tif 000017
【図１７】
0003916998.tif 000018
【図１８】
0003916998.tif 000019
【図１９】
0003916998.tif 000020